(57)【特許請求の範囲】
【請求項１】
複数のネットワーク装置と接続され、前記ネットワーク装置それぞれの監視、制御を行う、ＥＭＳ（Element Management System）を備えるネットワーク装置管理システムであって、
前記ネットワーク装置管理システムは、
前記ネットワーク装置に対する要求を受け付けるとともに、前記要求の処理結果を前記要求の要求元に送信する共通機能部と、
前記ネットワーク装置の現況に関する情報を収集する収集系機能部と、
前記ネットワーク装置に対してコマンドを送信することにより、当該ネットワーク装置についての設定および設定変更を行う設定系機能部と、を備え、
前記収集系機能部を有するＨＷ（hardware）として構成されるＥＭＳと、前記共通機能部および前記設定系機能部を有するＨＷとして構成されるＥＭＳとが、１：Ｎ（Ｎは、正の整数）で設置されること
を特徴とするネットワーク装置管理システム。
【請求項２】
前記共通機能部と前記収集系機能部とは、通信接続されておらず、前記共通機能部と通信接続された前記設定系機能部を介して、前記収集系機能部は、前記要求および前記要求の処理結果の送受信を前記共通機能部との間で行うこと
を特徴とする請求項１に記載のネットワーク装置管理システム。
【請求項３】
前記収集系機能部を有するＥＭＳと、前記共通機能部および前記設定系機能部を有するＥＭＳとを別個のＨＷとして構成するのに替えて、
前記収集系機能部、前記共通機能部および前記設定系機能部を有する単一のＨＷとしてＥＭＳを構成すること
を特徴とする請求項２に記載のネットワーク装置管理システム。
【発明の詳細な説明】
【技術分野】
【０００１】
複数の異なる装置種別や複数の異なるベンダ装置で構成するネットワークにおいて、それらの装置（以下、ＮＥ（Network Element：ネットワーク装置）と称する。）を管理するオペレーションシステム（以下、ＥＭＳ（Element Management System）と称する。）に関する。
【背景技術】
【０００２】
従来、ＩＰ（Internet Protocol）ネットワークを構成するＮＥと、当該ＮＥの監視や制御を行うＥＭＳとは、ＮＥベンダがセットで開発し、キャリア（回線事業者）は、それらのＮＥとＥＭＳとをセットで導入してきた。その結果として、キャリアのネットワークには、多数の異なるベンダのＥＭＳが存在し、オペレータは、ベンダ毎のＥＭＳをそれぞれ習熟した上で使用している（非特許文献１参照）。
【０００３】
図１は、ベンダ毎のＥＭＳ１によりそのベンダ毎のＮＥ２を管理する従来のシステムを示す図である。例えば、ベンダＡ社製のＮＥ２（２Ａ）は、ベンダＡ社製のＥＭＳ１（１Ａ）により管理される。ベンダＢ社製のＮＥ２（２Ｂ）は、ベンダＢ社製のＥＭＳ１（１Ｂ）により管理される。また、ベンダＣ社製のＮＥ２（２Ｃ）は、ベンダＣ社製のＥＭＳ１（１Ｃ）により管理される。このように、各ベンダに対応してＥＭＳ１それぞれを設置する必要があるとともに、ネットワークを管理するオペレータは、各ベンダ独自の仕様を習得する必要があった。
【０００４】
一方、ＥＭＳをマルチベンダ対応とし、各ベンダ製のＮＥとの接続アダプタを、ＳＤＫ（Software Development Kit）を用いてＪａｖａ（登録商標）等により開発、導入するソリューションが存在する（例えば、Ｎａｋｉｎａ（登録商標）、ＺＯＨＯ（登録商標））。
【０００５】
図２は、マルチベンダ対応のＥＭＳ１により、各ベンダのＮＥ２を管理するシステムを示す図である。マルチベンダ対応のＥＭＳ１では、ベンダ非依存の共通機能１１と、各ベンダ向けのアダプタ１２（Ａ社向けアダプタ１２Ａ、Ｂ社向けアダプタ１２Ｂ、Ｃ社向けアダプタ１２Ｃ）とを備え、オペレータ端末５からの要求をこの共通機能１１が受信して、各ベンダ向けのアダプタ１２（１２Ａ，１２Ｂ，１２Ｃ）により当該要求をそのベンダ仕様に変換処理し、各ＮＥ２（２Ａ，２Ｂ，２Ｃ）へ送信する。
【先行技術文献】
【非特許文献】
【０００６】
【非特許文献１】中村信孝、他５名、“IMT‐2000サービス特集 (2) モバイル新世紀の先駆け「FOMA」誕生 オペレーション技術”、[online]、2001年10月、NTT DoCoMoテクニカル・ジャーナル、［平成26年 8月21日検索］、インターネット<ＵＲＬ：https://www.nttdocomo.co.jp/binary/pdf/corporate/technology/rd/technical_journal/bn/vol9_3/vol9_3_061jp.pdf>
【発明の概要】
【発明が解決しようとする課題】
【０００７】
上記したマルチベンダ対応のＥＭＳの登場により、ＮＥを監視・制御するための要求は、当該ＥＭＳに集中し、負荷が高くなる。これに対応し、当該ＥＭＳは、サービスを継続するために、ＨＷ（hardware：ハードウェア）を増設して負荷を分散させる必要がでてくる。以下、マルチベンダ対応のＥＭＳ（以下、単に「ＥＭＳ」と称する。）のＨＷを増設した場合の課題について説明する。なお、その前提として従来のＥＭＳの機能について、まず説明する。
【０００８】
図３は、従来のＥＭＳ１の機能を説明するためのブロック図である。図３に示すように、従来のＥＭＳ１は、上位ＩＦ部１０と、機能部２０と、装置ＩＦ部３０とを備える。上位ＩＦ部１０は、当該ＥＭＳ１の上位に位置するオペレーション装置である上位ＯｐＳ（Operation System）３からの要求等を受け付け、機能部２０へ出力したり、各ＮＥ２（２Ａ，２Ｂ，２Ｃ，２Ｄ）から得た処理結果等の情報を機能部２０から取得し上位ＯｐＳ３へ送信したりする。機能部２０は、上位ＯｐＳ３等からの要求等に基づき、ＮＥ２の現況に関する情報の収集や設定変更等の要求を、装置ＩＦ部３０を介して各ＮＥ２（２Ａ，２Ｂ，２Ｃ，２Ｄ）に対して送信する。また、機能部２０は、各ＮＥ２（２Ａ，２Ｂ，２Ｃ，２Ｄ）から受信した情報を、装置ＩＦ部３０を介して受け取り、上位ＩＦ部１０に出力する。装置ＩＦ部３０は、機能部２０から取得した要求等を各ベンダの仕様に変換処理して各ＮＥ２（２Ａ，２Ｂ，２Ｃ，２Ｄ）に送信したり、各ＮＥ２から取得した処理結果等の情報を受信して変換処理し、機能部２０へ出力したりする。
【０００９】
このＥＭＳ１の機能部２０は、２つの機能に大別される。ＮＥ２からの情報を参照する情報収集機能（以下、「収集系機能」または「収集系」と称する。）と、ＮＥ２に主としてＣＬＩ（Command Line Interface）コマンドを用いてコンフィグ設定を行う設定機能（以下、「設定系機能」または「設定系」と称する。）である。収集系機能は、例えば、定期的なトラヒック収集や、トラヒック集計処理、死活監視、現況収集（ＳＮＭＰ（Simple Network Management Protocol）ポーリング）等である。設定系機能は、装置config（コンフィグ）の投入、サービスオーダ（ＳＯ）の投入、装置パスワード変更等である。
【００１０】
特に、キャリア網における大規模ネットワークの監視・制御では、必ずしも収集系機能と設定系機能の使用頻度は同じではない。一般的には、設定系機能の方が収集系機能よりも使用頻度が多くなる。これは、例えば、大規模ネットワークのＮＥ２においては、１台のＮＥ２が数千台の端末（図示省略）と接続されており、その数千台の端末についてのサービスの設定や変更等をＥＭＳ１の設定系機能が実行するためである。
従来のＥＭＳ１の機能部２０は、使用頻度が異なる、収集系機能、設定系機能の両方を包含し、明確に区別することなく一体して処理するものであった。
【００１１】
このような従来のＥＭＳ１の機能構成のまま、ＨＷを増設する場合、図４に示すように、収集系機能（図４では、「収集系」と記載。）および設定系機能（図４では、「設定系」と記載。）が機能部２０として一体のままでの増設となる。そのため、設定系機能の需要の増加に伴う性能不足のために、本来、マシンリソース(性能）の追加を必要としない（つまり、需要の増加が無い）収集系機能にも、マシンリソース（性能）を供給することになる。これにより、設備投資効率が悪くなるという課題がある。
【００１２】
また、単純に、収集系機能と設定系機能を別個のＨＷに分割し、マシンリソースが足りない機能のみを増設可能とする構成をとった場合には、以下の２つの課題が存在する。
【００１３】
１つ目は、ＥＭＳとしての機能を備えるのに、最低２台（収集系と設定系）のＨＷが必要であり、大規模ネットワークに対しては経済化を図れるが、小〜中規模のネットワークに対しては効果がないことである。
【００１４】
２つ目は、単純に、収集系機能と設定系機能とを別個のＨＷに分割した場合、ＮＥを監視・制御するための要求の要求先について、要求元である上位ＯｐＳが、収集系機能を有するＥＭＳに送信するのか、設定系機能を有するＥＭＳに送信するのかを判別して処理しなければならない。その結果、ＥＭＳと連携するシステム（上位ＯｐＳ等）は、収集系／設定系それぞれにシステム間インタフェースが必要となり、保守費用だけでなく、関連システムの開発費も増大してしまうことである。
【００１５】
このような背景を鑑みて本発明がなされたのであり、本発明は、ネットワークを構成するＮＥの監視・制御におけるＥＭＳの性能需要の偏りに応じて、効率的なＥＭＳの設置（増設）を可能とする、ネットワーク装置管理システムを提供することを課題とする。
【課題を解決するための手段】
【００１６】
前記した課題を解決するため、請求項１に記載の発明は、複数のネットワーク装置と接続され、前記ネットワーク装置それぞれの監視、制御を行う、ＥＭＳ（Element Management System）を備えるネットワーク装置管理システムであって、前記ネットワーク装置管理システムが、前記ネットワーク装置に対する要求を受け付けるとともに、前記要求の処理結果を前記要求の要求元に送信する共通機能部と、前記ネットワーク装置の現況に関する情報を収集する収集系機能部と、前記ネットワーク装置に対してコマンドを送信することにより、当該ネットワーク装置についての設定および設定変更を行う設定系機能部と、を備え、前記収集系機能部を有するＨＷ（hardware）として構成されるＥＭＳと、前記共通機能部および前記設定系機能部を有するＨＷとして構成されるＥＭＳとが、１：Ｎ（Ｎは、正の整数）で設置されることを特徴とするネットワーク装置管理システムとした。
【００１７】
このようにすることにより、設定系機能の需要増大に応じて、設定系機能部を備えるＨＷ（ＥＭＳ）を増設することが可能となる。つまり、収集系機能部を備える１台のＥＭＳに対して、設定系機能部を備えるＮ台のＥＭＳを設置することができる。よって、大規模ネットワークの監視・制御におけるＥＭＳの性能需要の偏りに対し、効率的なＥＭＳの設置（増設）が可能となる。
【００１８】
請求項２に記載の発明は、前記共通機能部と前記収集系機能部とは、通信接続されておらず、前記共通機能部と通信接続された前記設定系機能部を介して、前記収集系機能部は、前記要求および前記要求の処理結果の送受信を前記共通機能部との間で行うことを特徴とする請求項１に記載のネットワーク装置管理システムとした。
【００１９】
このようにすることにより、外部装置（例えば、上位ＯｐＳ等）は、ＥＭＳが、収集系機能部を備えるＥＭＳであるか、設定系機能部を備えるＥＭＳであるか、の判別をすることなく、共通機能部と通信接続された設定系機能部を備えるＥＭＳとの間で、要求や処理結果の送受信を行えばよい。よって、収集系機能部を備えるＥＭＳとの間に、新たなインタフェースを必要とせず、保守・開発費の増大を抑制することができる。
【００２０】
請求項３に記載の発明は、前記収集系機能部を有するＥＭＳと、前記共通機能部および前記設定系機能部を有するＥＭＳとを別個のＨＷとして構成するのに替えて、前記収集系機能部、前記共通機能部および前記設定系機能部を有する単一のＨＷとしてＥＭＳを構成することを特徴とする請求項２に記載のネットワーク装置管理システムとした。
【００２１】
このようにすることにより、小〜中規模ネットワークについては、１台のＥＭＳにおいて、収集系機能部、共通機能部および設定系機能部を構成でき、経済的なＨＷ設置が可能となる。
【発明の効果】
【００２２】
本発明によれば、ネットワークを構成するＮＥの監視・制御におけるＥＭＳの性能需要の偏りに応じて、効率的なＥＭＳの設置（増設）を可能とする、ネットワーク装置管理システムを提供することができる。
【図面の簡単な説明】
【００２３】
【図１】ベンダ毎のＥＭＳによりそのベンダ毎のＮＥを管理する従来のシステムを示す図である。
【図２】マルチベンダ対応のＥＭＳにより、各ベンダのＮＥを管理するシステムを示す図である。
【図３】従来のＥＭＳの機能を説明するためのブロック図である。
【図４】従来のＥＭＳの機能構成のまま、ＨＷを増設する例を示す図である。
【図５】本発明に特有な技術思想を説明するための図である。
【図６】本実施形態に係るネットワーク装置管理システムの全体構成を示す図である。
【図７】本実施形態の変形例に係るＥＭＳの構成例を示す機能ブロック図である。
【発明を実施するための形態】
【００２４】
次に、本発明を実施するための形態（以下、「本実施形態」という。）におけるＥＭＳ１００を含むネットワーク装置管理システム１０００等について説明する。
【００２５】
（本発明に特有な技術思想について）
まず、本発明に特有な技術思想について説明する。
図３に示した、従来の（マルチベンダ対応の）ＥＭＳ１では、各ＮＥ２（２Ａ，２Ｂ，２Ｃ，２Ｄ）の現況確認のための監視処理（収集系）や、上位ＯｐＳ３からの要求に基づく各ＮＥ２に対する設定処理（設定系）を、（１つの）機能部２０が実行していた。これに対し、本発明の（マルチベンダ対応の）ＥＭＳ１００は、図５に示すように、ＥＭＳの機能部を、収集系機能部１２０Ａと設定系機能部１２０Ｂに明確に分離することを特徴とする。
ここで、収集系機能部１２０Ａ、設定系機能部１２０Ｂそれぞれが実行する機能を、以下のように分類する（図５参照）。
【００２６】
ネットワークの監視・制御において、ＳＮＭＰによりＮＥ２にアクセスする機能（ポーリング、トラップを含む）は、基本的にＮＥ設定情報を読み出す処理であるため収集系機能に分類する。例えば、定期的なトラヒック収集、トラヒック集計処理、死活監視、閾値監視（トラップ）、現況収集（ＳＮＭＰポーリング）等である。また、ＮＥ２に対して、pingやtracerouteにより、装置―装置間の接続・経路確認をする機能は、装置情報の参照となるため、収集系機能となる。これらは、例えば、ＳＮＭＰや、ＩＣＭＰ（Internet Control Message Protocol）等を利用して実行される。
【００２７】
一方、ＮＥ２に対し、ＴｅｌｎｅｔやＳＳＨ（Secure Shell）によりアクセスする機能は、ネットワークの監視・制御において、ＣＬＩによりＮＥ２への設定および設定変更（装置パスワード変更やホスト名変更、ＩＰアドレス変更など）を行うことがあるため、設定系機能となる。その他にも、装置configの投入やサービスオーダ（ＳＯ）の投入も設定系機能である。また、ＮＥ２の現況収集であっても、例えばＴｅｌｎｅｔ等を用いて、コマンドを投入する処理と同等の処理を実行することにより、情報を取得する場合は、設定系機能とする。
【００２８】
このように、ＥＭＳ１００の機能部を、収集系機能部１２０Ａと設定系機能部１２０Ｂに分離すると、各機能部は、その実行契機において異なる特性をもつ。収集系機能部１２０Ａは、主に時刻を契機に実行する、定期実行系の機能が多い。一方、設定系機能部１２０Ｂは、ＥＭＳ１００と連携する上位ＯｐＳからの要求に基づいて不定期に呼び出され実行する、即時実行系の機能が多い。
【００２９】
上記のような実行契機特性により、本実施形態に係るＥＭＳ１００では、収集系機能部１２０Ａと上位ＩＦ部（共通機能部）１１０との連携（情報の送受信）をなくし、代わりに、収集系機能部１２０Ａと設定系機能部１２０Ｂとが連携をとることを特徴とする。図５においては、上位ＩＦ部１１０と設定系機能部１２０Ｂとの連携を符号αで表し、収集系機能部１２０Ａと設定系機能部１２０Ｂとの連携を符号βで表している。つまり、上位ＩＦ部１１０と収集系機能部１２０Ａとは、直接は連携しておらず、収集系機能部１２０Ａは、設定系機能部１２０Ｂを介して、上位ＩＦ部１１０と連携する。収集系機能部１２０Ａが設定系機能部１２０Ｂを介して上位ＩＦ部１１０と連携する場合は、例えば、上位ＯｐＳへの処理結果通知や、上位ＯｐＳから収集系機能部１２０Ａへ対する要求流通のため、上位ＩＦ部１１０から設定系機能部１２０Ｂを介して収集系機能部１２０Ａが要求を取得する場合である。
このように、収集系機能部１２０Ａと上位ＩＦ部（共通機能部）１１０との連携をなくし、代わりに、収集系機能部１２０Ａと設定系機能部１２０Ｂとを連携させることにより、上位ＯｐＳが、ＥＭＳ１００の設定系・収集系を判別することなく、上位ＩＦ部１１０および設定系機能部１２０Ｂを備えるＥＭＳ１００（後記する図６のＥＭＳ１００Ｂ）との間により、機能実行要求の送信や処理結果の受取が可能となる。
【００３０】
＜ネットワーク装置管理システム＞
次に、上記した本発明に特有の技術思想に基づく、本実施形態に係るネットワーク装置管理システム１０００について説明する。
【００３１】
図６は、本実施形態に係るネットワーク装置管理システム１０００の全体構成を示す図である。
図６に示すように、本実施形態に係るネットワーク装置管理システム１０００は、収集系機能を実行する（収集系の）ＥＭＳ１００（１００Ａ）のＨＷと、主に設定系機能を実行する（設定系の）１つ以上のＥＭＳ１００（１００Ｂ）のＨＷとを備える。つまり、上記したように、図３に示す従来のＥＭＳ１において、１つの機能部２０で実行していた処理を、本実施形態においては、収集系（収集系機能部１２０Ａ）と設定系（設定系機能部１２０Ｂ）の２つの機能に明確に分離して処理する。
また、上位ＯｐＳ３は、ネットワーク装置管理システム１０００を構成するＥＭＳのうち、１つ以上設置された設定系のＥＭＳ１００（１００Ｂ）と接続される。つまり、上位ＯｐＳ３は、収集系のＥＭＳ１００（１００Ａ）とは接続されていない。また、収集系のＥＭＳ１００（１００Ａ）、設定系のＥＭＳ１００（１００Ｂ）それぞれは、ネットワーク内で監視・制御対象となる各ＮＥ２（２Ａ，２Ｂ，２Ｃ，２Ｄ）に接続される。なお、ＮＥ２は、図６に示すＮＥ２Ａ〜２Ｄの４台に限定されず、複数台であればよいが、大規模ネットワークでは、数百台規模となる。そして、大規模ネットワークでは、各ＮＥ２がさらに数千〜数万台規模の端末（図示省略）と接続される。
以下、収集系機能を実行するＥＭＳ１００（１００Ａ）と、設定系機能を実行するＥＭＳ１００（１００Ｂ）について、具体的に説明する。
【００３２】
≪収集系機能を実行するＥＭＳ１００（１００Ａ）≫
収集系のＥＭＳ１００（１００Ａ）は、設定系のＥＭＳ１００（１００Ｂ）と通信可能に接続される。また、収集系のＥＭＳ１００（１００Ａ）は、ネットワーク上の監視・制御対象となる各ＮＥ２（２Ａ，２Ｂ，２Ｃ，２Ｄ）に接続される。
この収集系のＥＭＳ１００（１００Ａ）は、処理手段と、通信手段と、記憶手段とを備えるコンピュータにより実現される。収集系のＥＭＳ１００（１００Ａ）は、従来のＥＭＳ１（図３参照）の機能のうち、収集系機能を実現する装置であり、少なくとも、収集系機能部１２０Ａと、装置ＩＦ部１３０（１３０Ａ）とを備える。
【００３３】
収集系機能部１２０Ａは、各ＮＥ２の現況に関する情報等を定期的に収集する処理を実行する。上記のように、収集系機能部１２０Ａは、例えば、トラヒック情報の収集や集計、死活監視、ＳＮＭＰポーリングによる現況収集、閾値監視（トラップ）等を実行する。この収集系機能部１２０Ａによる処理は、上位ＯｐＳ３から、設定系機能部１２０Ｂを備えるＥＭＳ１００（１００Ｂ）を介して、各ＮＥ２の現況に関する情報の取得指示を受け取ったあと、定期的に実行される。また、収集系機能部１２０Ａは、所定の時間間隔で、設定系のＥＭＳ１００（１００Ｂ）を介して、上位ＯｐＳ３にその収集結果等を送信する。
【００３４】
装置ＩＦ部１３０（１３０Ａ）は、各ベンダ製のＮＥ２（２Ａ，２Ｂ，２Ｃ，２Ｄ）に対応したアダプタを備える通信ＩＦである。この装置ＩＦ部１３０（１３０Ａ）は、収集系機能部１２０Ａからの要求を、各ＮＥ２のベンダ仕様に変換処理し、そのＮＥ２へ送信する。また、装置ＩＦ部１３０（１３０Ａ）は、各ＮＥ２から受信した情報を変換処理し収集系機能部１２０Ａに出力する。
【００３５】
このように、ＥＭＳ１００（１００Ａ）は、ＥＭＳが実行する機能のうち、収集系の機能を実行する。
【００３６】
≪設定系機能を実行するＥＭＳ１００（１００Ｂ）≫
図６に示すように、設定系のＥＭＳ１００（１００Ｂ）は、上位ＯｐＳ３および収集系のＥＭＳ１００（１００Ａ）に通信可能に接続される。また、設定系のＥＭＳ１００（１００Ｂ）は、ネットワーク上の監視・制御対象となる各ＮＥ２（２Ａ，２Ｂ，２Ｃ，２Ｄ）に接続される。
この設定系のＥＭＳ１００（１００Ｂ）は、処理手段と、通信手段と、記憶手段とを備えるコンピュータにより実現される。設定系のＥＭＳ１００（１００Ｂ）は、従来のＥＭＳの機能のうち、主に設定系機能を実現する装置であり、少なくとも、上位ＩＦ部（共通機能部）１１０と、設定系機能部１２０Ｂと、装置ＩＦ部１３０（１３０Ｂ）とを備える。
【００３７】
上位ＩＦ部（共通機能部）１１０は、上位ＯｐＳ３からの要求等を受け付け、設定系機能部１２０Ｂに出力する。また、上位ＩＦ部１１０は、ＮＥ２に対する処理結果等の情報を設定系機能部１２０Ｂから取得し、上位ＯｐＳ３に出力する。
さらに、この上位ＩＦ部１１０は、上記した、要求の受け付け、結果応答の他に、ＥＭＳとしての共通機能を実行する。ここで、共通機能とは、例えば、ＥＭＳ１００の内部データベース（ＤＢ）に管理対象のＮＥ情報（例えば、ＮＥ２のＩＰアドレスや、各種設定情報）を記憶手段（図示省略）に記憶する装置登録機能や、保守者がＥＭＳを操作するためのＨＭＩ（Human Machine Interface）など、収集系でも設定系でもない機能である。なお、この上位ＩＦ部１１０が記憶手段に記憶したＮＥ情報等は、設定系機能部１２０Ｂを介して、収集系のＥＭＳ１００（１００Ａ）にも送信され、ＥＭＳ１００（１００Ａ）の記憶手段に記憶される。
【００３８】
設定系機能部１２０Ｂは、各ＮＥ２（２Ａ，２Ｂ，２Ｃ，２Ｄ）に対して、コマンド等を送信することにより、各サービスに関する設定や、設定変更等の処理を実行する。上記のように、設定系機能部１２０Ｂは、例えば、装置configの投入や、サービスオーダ（ＳＯ）の投入、パスワード変更等の各種の設定変更を実行する。この設定系機能部１２０Ｂは、上位ＩＦ部１１０を介して、上位ＯｐＳ３からの要求等を受け取る。そして、設定系機能部１２０Ｂは、その要求を処理し、装置ＩＦ部１３０（１３０Ｂ）を介して各ＮＥ２（２Ａ，２Ｂ，２Ｃ，２Ｄ）に送信する。また、設定系機能部１２０Ｂは、上位ＯｐＳ３からの要求を、収集系のＥＭＳ１００（１００Ａ）の収集系機能部１２０Ａに送信する。そして、設定系機能部１２０Ｂは、各ＮＥ２からの処理結果についての情報を、装置ＩＦ部１３０（１３０Ｂ）や収集系のＥＭＳ１００（１００Ａ）の収集系機能部１２０Ａから取得し、上位ＩＦ部１１０を介して、上位ＯｐＳ３に送信する。
【００３９】
装置ＩＦ部１３０（１３０Ｂ）は、各ベンダ製のＮＥ２（２Ａ，２Ｂ，２Ｃ，２Ｄ）に対応したアダプタを備える通信ＩＦである。この装置ＩＦ部１３０（１３０Ｂ）は、設定系機能部１２０Ｂからの要求を、各ＮＥ２のベンダ仕様に変換処理し、そのＮＥ２へ送信する。また、装置ＩＦ部１３０（１３０Ｂ）は、各ＮＥ２から受信した情報を変換処理し設定系機能部１２０Ｂに出力する。
【００４０】
このように、ＥＭＳ１００（１００Ｂ）は、ＥＭＳが実行する機能のうち、設定系の機能を実行するとともに、収集系および設定系に依らない、例えば、ＮＥ情報についての、データベースの登録、変更、削除等を行う共通機能に関する処理も実行する。
【００４１】
この設定系機能を実行するＥＭＳ１００（１００Ｂ）は、設定系機能の需要の増大に応じて、増設することが可能である。つまり、１台の収集系のＥＭＳ１００（１００Ａ）に対し、Ｎ台（Ｎは正の整数）の設定系機能を備えるＥＭＳ１００（１００Ｂ）を設置することができる。つまり、収集系：設定系を１：Ｎ構成とすることができ、収集系と設定系の負荷の偏りに対し、効率的なＥＭＳの設置が可能となる。
【００４２】
＜本実施形態の変形例＞
次に、本実施形態の変形例に係るＥＭＳ１００（１００Ｃ）について説明する。
図６に示した、本実施形態に係るネットワーク装置管理システム１０００においては、収集系機能と設定系機能とを別個のＨＷとして構成するものとして説明した。つまり、収集系機能部１２０Ａを備えるＥＭＳ１００（１００Ａ）と、設定系機能部１２０Ｂを備えるＥＭＳ１００（１００Ｂ）とを、別々のＨＷとして設置し、ネットワーク装置管理システム１０００を構成するものとした。
これに対し、本実施形態の変形例に係るＥＭＳ１００（１００Ｃ）は、１つのＨＷにおいて、ＥＭＳの機能を分離した、収集系機能部１２０Ａと設定系機能部１２０Ｂとを備えることを特徴とする。このようにすることにより、小〜中規模のネットワークにおいても、ＨＷの台数を複数にすることなく、つまり、１台のＨＷにおいて、本発明に特有な技術思想を実現するＥＭＳを構成することができる。
【００４３】
図７は、本実施形態の変形例に係るＥＭＳ１００（１００Ｃ）の構成例を示す機能ブロック図である。
図７に示すように、ＥＭＳ１００（１００Ｃ）は、上位ＯｐＳ３、および、ネットワーク上の監視・制御対象となる各ＮＥ２（２Ａ，２Ｂ，２Ｃ，２Ｄ）に接続される。
このＥＭＳ１００（１００Ｃ）は、処理手段と、通信手段と、記憶手段とを備えるコンピュータにより実現される。また、ＥＭＳ１００（１００Ｃ）は、従来のＥＭＳの機能部の機能を、収集系と設定系とに分離した、収集系機能部１２０Ａおよび設定系機能部１２０Ｂと、上位ＩＦ部（共通機能部）１１０と、装置ＩＦ部１３０（１３０Ａ，１３０Ｂ）とを備える。なお、ＥＭＳ１００（１００Ｃ）が備える各構成の処理内容は、図６に示した構成と同様であるので、同一の名称と記号を付し、詳細な説明は省略する。
【００４４】
ＥＭＳ１００（１００Ｃ）は、図６に示した、ネットワーク装置管理システム１０００において、設定系機能部１２０Ｂを備えるＥＭＳ１００（１００Ｂ）が１台の場合の構成、つまり、収集系：設定系＝１：１の構成の場合において、さらに、ＨＷを１台として設置する例である。
【００４５】
ＥＭＳ１００（１００Ｃ）は、１つのＨＷ内に、収集系機能部１２０Ａ、設定系機能部１２０Ｂ、上位ＩＦ部１１０を備えるが、上位ＩＦ部１１０と収集系機能部１２０Ａとは接続されておらず、上位ＩＦ部１１０には、設定系機能部１２０Ｂが接続される。そして、収集系機能部１２０Ａは、設定系機能部１２０Ｂを介して、上位ＩＦ部１１０と間の情報をやりとりする。
【００４６】
このように、本実施形態の変形例に係るＥＭＳ１００（１００Ｃ）によれば、ＨＷを分離するものではないため、小〜中規模ネットワークの監視・制御において、当該ＥＭＳ１００（１００Ｃ）を１台設置して、収集系と設定系とを機能分離した本発明特有の構成を実現することができる。また、将来、設定系機能の需要が増大した場合に、ＥＭＳ１００（１００Ｃ）のＨＷを収集系機能と設定系機能とに分離して、図６に示したネットワーク装置管理システム１０００とする移行を容易に行うことが可能となる。
【００４７】
以上説明したように、本実施形態に係るネットワーク装置管理システム１０００によれば、大規模ネットワークの監視・制御におけるＥＭＳの性能需要の偏りに対し、効率的なＥＭＳ１００（設定系機能部１２０Ｂを備えるＥＭＳ１００Ｂ）の増設が可能となる。また、上位ＯｐＳ３は、ＥＭＳ１００の収集系・設定系を判別することなく、上位ＩＦ部１１０および設定系機能部１２０Ｂを備えるＥＭＳ１００（１００Ｂ）との間で、機能実行要求および結果情報の受信等を行えばよいため、新たなシステム間インタフェースを必要とせず、保守・開発費の増大を抑制することができる。さらに、必ずしも、ＨＷを分離する必要がないため、小〜中規模ネットワークの監視・制御については、１台で本発明を実現することが可能となる。
【符号の説明】
【００４８】
２      ＮＥ
３      上位ＯｐＳ
１００（１００Ａ，１００Ｂ，１００Ｃ）  ＥＭＳ
１１０  上位ＩＦ部（共通機能部）
１２０Ａ  収集系機能部
１２０Ｂ  設定系機能部
１３０（１３０Ａ，１３０Ｂ）  装置ＩＦ部
１０００  ネットワーク装置管理システム
【図１】
0005947847.tif 000002
【図２】
0005947847.tif 000003
【図３】
0005947847.tif 000004
【図４】
0005947847.tif 000005
【図５】
0005947847.tif 000006
【図６】
0005947847.tif 000007
【図７】
0005947847.tif 000008